(57)【要約】【課題】光ディスクの全データがコピーされた場合でも、実質的にコピーを禁止することを可能とする。【解決手段】再生される光ディスク２には、ＴＯＣデータとして媒体ＩＤ信号ＤＭｉおよびコピー管理情報ＣＧＭが記録されている。この媒体ＩＤ信号ＤＭｉが記録可能なディスクであることを示し、且つコピー管理情報ＣＧＭがコピー禁止であることを示す場合では、再生禁止信号ＰＢＩＮＨが"1"となる。これによって、スイッチ回路３１が制御され、再生データが出力されず、エラーメッセージデータが出力される。この再生禁止動作によって、実質的にコピーを禁止することができる。【選択図】図２
2004119009.tif 000002
【特許請求の範囲】
【請求項１】
　ディジタルデータと共に、媒体情報およびコピー管理情報が記録され、上記媒体情報は、読出し専用と書込み可能とを識別するものとされ、上記コピー管理情報は、コピー禁止とコピー可能とを識別するものとされ、
　記録データと付随する上記コピー管理情報が記録される記録領域と、ユーザが設定したコピー管理情報が記録される記録領域とが別個に設けられたことを特徴とするデータ記録媒体。
【請求項２】
　読出し専用領域を有する記録媒体の上記読出し専用領域に消去不能な情報データを書込むデータ書込装置において、
　上記記録媒体の上記読出し専用領域が読出し専用であることを示す媒体情報と、コピー管理情報とを生成する生成手段と、
　上記情報データ、上記媒体情報および上記コピー管理情報を、上記読出し専用領域に消去不能に書込む書込手段とを備え、
　上記媒体情報は、上記情報データ再生の際、当該媒体情報自体と上記コピー管理情報とに基づいて、上記情報データの再生を禁止する再生禁止情報を生成することを特徴とする情報データ書込装置。
【発明の詳細な説明】
【技術分野】
【０００１】
　この発明は、データ記録媒体例えば光ディスクに記録されているデータのコピーの制限を行なうことができるデータ記録媒体及び情報データ書込装置に関する。
【背景技術】
【０００２】
　コンピュータの外部記憶装置として、大容量、高速アクセスの利点から光ディスクドライブが注目され、既に、ＣＤ−ＲＯＭ（またはＣＤ−Ｉ（ＣＤ Interactive) ）ドライブ、ＭＯ（イレーザブルディスクの一つである光磁気ディスク）ドライブの採用は、急速に拡がりつつある。これら以外にも、ディスク直径が２．５インチのＭＤ（ミニディスク；イレーザブルディスク）も提案されている。さらに、映像記憶媒体として、ＤＶＤ（ディジタル・ビデオ・ディスク）が開発されつつある。
【０００３】
　ＤＶＤは、ＣＤと同一の直径の再生専用ディスク、またはＭＯディスクあるいは相変化型ディスクとされた記録／再生可能な光ディスクであって、ＭＰＥＧ等で圧縮した映像情報を再生、または記録／再生できるディスクである。ＤＶＤでは、レーザ光の短波長化の進展と、対物レンズのＮＡの増大と共に、ディジタル変調およびエラー訂正符号化の処理の改良によって、記録密度がより一層、向上され、単層ディスクの場合でも、データ記憶容量が約３．７Ｇバイトと膨大なものである。ＣＤ、ＭＤが当初は、ディジタルオーディオディスクとして開発され、その後、コンピュータの外部記憶媒体としても利用されるのと同様に、より大容量のＤＶＤもコンピュータの外部記憶媒体として利用されることが期待されている。
【０００４】
　従来では、このようなデータ記録媒体に記録されているデータのコピーを禁止することが必要な場合では、コピープロテクト信号を媒体に記録し、コピープロテクト信号をドライブ側、あるいはホストコンピュータが認識し、コピー操作をしないように保護していた。
【発明の開示】
【発明が解決しようとする課題】
【０００５】
　しかしながら、かかる従来のコピー管理方法は、媒体の全データがダンプコピーされた場合には、コピーを禁止できない問題があった。例えば記録媒体から再生された全データを一旦ハードディスクに蓄え、そして、ハードディスクの全データを単なる`0' `1' のデータとして記録媒体に記録する。この場合では、再生データ中の制御データが意味を持たないものとして扱われる。また、セクタ毎にプロテクトをかけるようなデータを作った場合では、コピーできる部分のコピー動作において、プロテクトを識別し、コピープロテクト信号を書き換えたりする必要が生じ、多くの処理時間が必要となる問題が生じる。
【０００６】
　従って、この発明の目的は、媒体の全データをダンプコピーされた場合にも、その媒体の再生を不可能とすることができ、媒体に記録されたデータのコピープロテクトをより確実とすることができるデータ記録媒体及び情報データ書込装置を提供することにある。
【課題を解決するための手段】
【０００７】
　上述の目的を達成するために、この発明は、ディジタルデータと共に、媒体情報およびコピー管理情報が記録され、媒体情報は、読出し専用と書込み可能とを識別するものとされ、コピー管理情報は、コピー禁止とコピー可能とを識別するものとされ、
　記録データと付随するコピー管理情報が記録される記録領域と、ユーザが設定したコピー管理情報が記録される記録領域とが別個に設けられたことを特徴とするデータ記録媒体である。
【０００８】
　また、この発明は、読出し専用領域を有する記録媒体の読出し専用領域に消去不能な情報データを書込むデータ書込装置において、
　記録媒体の読出し専用領域が読出し専用であることを示す媒体情報と、コピー管理情報とを生成する生成手段と、
　情報データ、媒体情報およびコピー管理情報を、読出し専用領域に消去不能に書込む書込手段とを備え、
　媒体情報は、情報データ再生の際、当該媒体情報自体とコピー管理情報とに基づいて、情報データの再生を禁止する再生禁止情報を生成することを特徴とする情報データ書込装置である。
【０００９】
　媒体情報とコピー管理情報とを組み合わせることによって、全データがコピーされた場合でも、その再生動作を禁止することができ、実質的にコピーを禁止することができる。
【発明の効果】
【００１０】
　この発明は、媒体情報とコピー管理情報とを組み合わせて、たとえ全データがコピーされた場合でも、再生不可能とすることによって、実質的にコピーを禁止することができる。特に、この発明は、ＤＶＤのような記録可能な大容量ディスクに適用すれば、映像ソフト、プログラム等のコンピュータデータのコピー制限を良好に行なうことができる利点がある。
【発明を実施するための最良の形態】
【００１１】
　以下、この発明の一実施例について図面を参照して説明する。図１は、この発明による光ディスク記録システムを示し、図２は、光ディスク再生システムを示す。記録システムでは、入力端子１から記録データが供給され、これが光ディスク２に記録される。記録データは、圧縮されたビデオデータ、圧縮されたオーディオデータ、コンピュータ用のデータ等である。現在提案されているＤＶＤの記録可能なタイプ（光磁気型あるいは相変化型のディスク）は、光ディスク２の一例である。記録可能な光ディスク２をＲＡＭ−タイプと称する。すなわち、ＲＡＭタイプのディスクは、イレーザブルディスクまたはＷＯディスクである。ＷＯディスクは、一回しか記録できないもので、厳密な意味では、多数回、記録／再生が可能なものではないが、ここでは、簡単のため、ＲＡＭ−タイプの一つに含める。
【００１２】
　なお、図１の記録システムは、記録可能な光ディスク２に対して適用されるのみならず、再生専用ディスク（ＲＯＭ−タイプと称する）のマスタリングシステムにも適用できる。さらに、１枚の光ディスクのデータ領域が記録可能な領域と再生専用の領域とに分割されたハイブリッドディスク（マルチセッションディスクとも称される）に対してもこの発明を適用できる。
【００１３】
　ここで、この発明を適用できる記録データのデータ構造、特に、アクセス（記録または再生）のためのデータ単位について説明する。読出し専用のディスクの一例である、ＣＤ−ＲＯＭは、周知のＣＤ（ディジタルオーディオディスクＤＡＤ）から発展したものである。ＣＤは、図３に示すように、伝送フレーム（ＥＦＭフレーム、Ｃ１フレームとも称されることがある）内に、１バイトのサブコード、２４バイトのデータ、各４バイトのＣ１パリティおよびＣ２パリティが配置されたものである。ＣＤ上には、ＥＦＭ変調により各バイトが１４チャンネルビットのコードワードに変換され、結合ビット（３チャンネルビット）を介して記録される。さらに、各伝送フレームの先頭に、１１Ｔ（Ｔは、チャンネルビットの周期）の反転間隔が連続し、その後に２チャンネルビットが付加された計２４チャンネルビットのシンク（同期信号を意味する）が付加される。
【００１４】
　サブコードは、９８伝送フレームを周期として１単位となるように構成されている。従って、ＣＤ−ＤＡでは、９８伝送フレーム内に、
２４バイト×９８＝２３５２バイト
のユーザデータが含まれる。
【００１５】
　このＣＤの伝送フォーマットに基づいてＣＤ−ＲＯＭのデータ構造が規定されている。すなわち、ＣＤ−ＲＯＭは、サブコードの周期の９８フレームに含まれるデータである、２３５２バイトをアクセス単位とする。このアクセス単位は、ブロックとも称されるが、以下の記述では、セクタと称することにする。図４は、ＣＤ−ＲＯＭの１セクタのデータ構造を示す。
【００１６】
　ＣＤ−ＲＯＭでは、モード０、モード１、モード２が規定されている。これらのモードに共通して、セクタの区切りを示すシンク（１２バイト）、ヘッダ（４バイト）が付加される。モード０は、これらのシンクおよびヘッダ以外が全て"0" のデータであり、ダミーデータとして使用される。図４は、モード１およびモード２の１セクタのデータ構造を示す。ヘッダは、ＣＤのサブコードと同様の３バイトのアドレス情報と１バイトのモード情報とからなる。
【００１７】
　モード１のデータ構造では、ユーザデータが２，０４８（２Ｋ）バイトであり、エラー訂正能力を高めるために、２８８バイトの補助データが付加されている。すなわち、エラー検出符号（４バイト）、スペース（８バイト相当）、Ｐパリティ（１７２バイト）、Ｑパリティ（１０４バイト）が付加されている。モード１は、文字コード、コンピュータデータ等のように、信頼性が高いことが要求されるデータの記録に好適である。モード２は、２８８バイトの補助データが付加されず、従って、２，３３６バイトのユーザデータの記録が可能なモードである。モード２は、ビデオデータ、オーディオデータのようなエラーを補間できるデータの記録に適している。
【００１８】
　さらに、ＣＤ−ＲＯＭと同様のＲＯＭ−タイプとして、ＣＤ−Ｉが規格化されている。図５は、ＣＤ−Ｉの１セクタのデータ構造を示す。ＣＤ−ＲＯＭと同様に、１２バイトのシンク、４バイトのヘッダを付加され、ヘッダ中のモード情報は、モード２とされる。４バイトの後に、ＣＤ−Ｉでは、８バイトのサブヘッダが付加される。サブヘッダは、各２バイトのファイルナンバー、チャンネルナンバ、サブモード、データタイプからなる。
【００１９】
　さらに、ＣＤ−ＲＯＭのモード１とモード２と同様に、ＣＤ−Ｉでは、フォーム１および２が規定されている。フォーム１では、４バイトのエラー検出符号、１７２バイトのＰパリティ、１０４バイトのＱパリティが付加される。ＣＤ−ＲＯＭのモード１におけるスペースが設けられないので、ユーザデータの領域が２，０４８バイトである。フォーム２では、リザーブ領域（４バイト相当）が設けられ、ユーザデータの領域が２，３２４バイトである。
【００２０】
　次に、記録データがコンピュータから供給される場合では、この記録データを光ディスク２に記録する場合の１セクタのデータ構造を図６Ａに示す。１セクタの２，０４８バイトのユーザデータに対して、データシンク（４バイト）およびヘッダ（１６バイト）が付加され、また、信頼性の向上のためのエラー検出符号ＥＤＣ（４バイト）が付加される。従って、１セクタの長さが２，０７２バイトである。
【００２１】
　一方、上述したＣＤ−ＲＯＭの例えばモード２のユーザデータは、２，３３６バイトであるから、図６Ｂに示すように、データシンク（４バイト）およびヘッダ（１６バイト）を付加し、さらに、エラー検出符号ＥＤＣを付加し、ＣＤ−ＲＯＭのヘッダ（４バイト）を保存する。この場合、ＣＤ−ＲＯＭのヘッダを保存しないで、ユーザデータのサイズを２，３４０バイトとして扱っても良い。従って、１セクタの長さが２，３６８バイトである。好ましくは、データシンクおよびヘッダ、並びにエラー検出符号ＥＤＣは、図６Ａおよび図６Ｂにそれぞれ示すデータ間で共通のものを使用する。
【００２２】
　このように、１セクタの長さは、異なるものとなり、然も、整数比の関係にはない。この一実施例では、二つの異なるセクタサイズをＡおよびＢとするときに、ｎＡとｍＢ（ｎ，ｍは、それぞれ整数で、ｎ≠ｍ、ｎ＞ｍである）が所定サイズのデータ単位（ブロックと称する）に入るように、ブロックを規定する。そして、ブロックの単位で、データを記録／再生（すなわち、アクセス）するものである。ｎ、ｍの規定の方法には、ｍ＝ｎ−１で構成するように考える方法と、ｎ＝２j （ｊは自然数）で構成する方法がある。ｍ＝ｎ−１と規定する方法は、ブロックサイズを最小とする場合に採用される。ｎ＝２j と規定する方法は、コンピュータシステムとの親和性を考える場合に採用される。
【００２３】
　上述の例において、ユーザデータのみを考えると、ｎ＝８、ｍ＝７と規定すると、
　２０４８バイト×８＝１６，３８４バイト
　２３３６バイト×７＝１６，３５２バイト
となり、１６Ｋバイト（１６，３８４）バイトのブロックにおさまる。
【００２４】
　さらに、上述した図６に示すように、データシンクおよびヘッダの合計２０バイトを付加したものをセクタサイズとして考えると、Ａ´＝２，０７２、Ｂ´＝２，３６８であるから、ｎ＝８、ｍ＝７と選定し、ブロックサイズは、
２，０７２×８＝２，３６８×７＝１６，５７６バイト
となり、共通の同一ブロックサイズを規定することができる。
【００２５】
　この場合の１ブロックのデータ構造として、図７に示すように、（１４８×１１２＝１６，５７６バイト）の２次元配列を規定し、この２次元配列に対してエラー訂正符号を適用することによって、エラー訂正能力を高くすることができる。エラー訂正符号としては、縦方向（各列）の１６２バイトに対して、第１のエラー訂正符号（Ｃ１符号と称する）の符号化を行い、８バイトをＣ１パリティを生成し、斜め方向の１５６バイトに対して、第２のエラー訂正符号（Ｃ２符号と称する）の符号化を行い、１４バイトのＣ２パリティを付加する、畳み込み型の２重符号化を採用できる。
【００２６】
　勿論、エラー訂正符号としては、これ以外に、積符号、ブロック完結型の２重符号化、ＬＤＣ(Long Distance Code)等を採用しても良く、単なるエラー検出符号による符号化を行なうことも可能である。
【００２７】
　２つの異なるサイズのセクタを同一サイズのブロックに統合する場合について、図８を参照してより具体的に説明する。図８Ａは、図６Ａに示す２，０７２バイトの場合のセクタサイズの処理を示す。この１セクタをＲ／Ｗ方向に１４８バイト毎に区切り、１４８×１４＝２，０７２バイトの２次元配列を形成する。従って、この配列の１セクタは、１ブロック内に８個含まれ、１ブロックが８セクタのデータ構造が形成される。
【００２８】
　図８Ｂは、図６Ｂに示す２，３６８バイトの場合のセクタサイズの処理を示す。この１セクタをＲ／Ｗ方向に１４８バイト毎に区切り、１４８×１６＝２，３６８バイトの２次元配列を形成する。従って、この配列の１セクタは、１ブロック内に７個含まれ、１ブロックが７セクタのデータ構造が形成される。記録／再生時には、データの２，０７２バイトまたは２，３６８バイトをカウントするカウンタを設け、７個または８個のセクタシンクを検出することによって、ブロックの区切りを決定する。この方法に限らず、セクタシンクと別のブロックシンクを付加しても良い。
【００２９】
　また、この発明は、ＣＤ−ＤＡ(Digital Audio) の場合の構造のデータを共通のサイズのブロック構造とすることができる。ＣＤ−ＤＡの場合では、９８伝送フレーム内に２，３５２バイトのユーザデータが含まれる。図９に示すように、ユーザデータに対して、４バイトのデータシンクと１２バイトのヘッダを付加し、それによって、１セクタのサイズを２，３６８バイトとすることができる。従って、上述したＣＤ−ＲＯＭのセクタと同様に、１ブロック内に７個のＣＤ−ＤＡのセクタが収まることになる。
【００３０】
　図１に戻って、この発明の一実施例の記録システムについて説明する。入力端子１からのディジタルデータがインターフェース３例えばＳＣＳＩを介してフォーマット化回路４ａ、４ｂに供給される。これらのフォーマット化回路４ａ、４ｂは、受け取ったディジタルデータをセクタ毎に区切り、データシンクおよびヘッダを付加し、エラー検出符号化を行う。すなわち、フォーマット化回路４ａは、受け取ったデータが２Ｋバイトを単位とする時に、このデータを図６Ａに示すような２，０７２バイトのサイズのセクタ構造に変換し、フォーマット化回路４ｂは、受け取ったデータがＣＤ−ＲＯＭの再生データの時に、このデータを図６Ｂに示すようなＲＯＭ−タイプ（２，３６８バイトのサイズ）のセクタ構造に変換する。
【００３１】
　フォーマット化回路４ａ、４ｂの出力データがスイッチ回路５により選択され、ブロック化回路６に供給される。スイッチ回路５は、インターフェース３から出力されるフォーマット識別信号により制御され、インターフェース３が受け付けたデータと対応してスイッチ回路５が切り替えられる。受け取ったデータが２Ｋバイトを単位とする場合では、スイッチ回路５がフォーマット化回路４ａの出力を選択し、受け取ったデータがＣＤ−ＲＯＭの再生データのような場合では、スイッチ回路５がフォーマット化回路４ｂの出力を選択する。
【００３２】
　さらに、後述のように、媒体ＩＤ信号ＤＭｉおよびコピー管理情報ＣＧＭがＴＯＣ発生回路７に供給され、これらの情報を含むＴＯＣデータが生成される。ＴＯＣ(Table Of Contents) データは、ディスクのコントロール情報、ディレクトリ情報等を含み、例えば最内周トラックに記録されるデータであって、ディスクをドライブに装着した時にＴＯＣデータが読み取られる。この場合、媒体ＩＤ信号ＤＭｉは、媒体の種類に固有のものであるので、媒体のＴＯＣデータの一部としてプリフォーマットしておくのが好ましい。プリフォーマットの方法としては、周知の方法例えばエンボスを形成するものを採用可能である。
【００３３】
　スイッチ回路５の出力を受け取るブロック化回路６は、７セクタまたは８セクタからなるブロックを構成し、ブロック毎のエラー訂正符号の符号化を行う。ブロック化回路６からのデータがエラー訂正符号のエンコーダ８に供給される。エンコーダ８は、例えば畳み込み型の二重符号化のエラー訂正符号の符号化を行なう。このエラー訂正符号化は、ＣＤにおいて採用されているものと同様のものである。すなわち、Ｃ１およびＣ２符号と称される二つの符号化系列にデータシンボルが二重に含まれると共に、各符号系列が異なるデータシンボルで構成されるようにインターリーブ処理がなされている。
【００３４】
　なお、媒体ＩＤ信号ＤＭｉを利用して、エラー訂正符号をディスク２のタイプに応じて切り換えても良い。例えばＲＡＭ−タイプのディスクに関しては、ブロック完結型の二重符号化を採用し、ＲＯＭ−タイプのディスクに関しては、畳み込み型の二重符号化を採用する。他の方法としては、ＲＡＭ−タイプの場合では、二重符号化のインターリーブ長をＲＯＭ−タイプより短くするものがある。
【００３５】
　エラー訂正符号化のエンコーダ８の出力がスイッチング回路９に供給される。スイッチング回路９は、エラー訂正符号化出力とＴＯＣ発生回路７からのＴＯＣデータとを切り換えてディジタル変調回路１０に対して出力する。ディジタル変調回路１０は、例えば１バイト（８ビット）のデータシンボルを１６ビットのコードワードに、予め決めたテーブルに従ってマッピングすることによって、直流分の少ない変調出力を生成する。勿論、ＣＤにおけるＥＦＭ、８ビットのデータシンボルを１５ビットのコードワードに変換する８−１５変調、等をディジタル変調として採用することができる。ディジタル変調回路１０の出力がシンク付加回路１１に供給される。
【００３６】
　シンク付加回路１１において、所定のシンクが付加される。例えばエラー訂正エンコーダ８において発生する１７０個のデータシンボルからなるＣ１符号系列が８５データシンボルに分割され、この８５データシンボルを８−１６変調したものを１伝送フレームとし、各伝送フレームの先頭に対してフレームシンクが付加される。さらに、セクタ毎にフレームシンクの代わりにセクタシンクが付加され、また、ブロック毎にセクタシンクの代わりにブロックシンクが付加される。これらのシンクとしては、例えば３２チャンネルビットの長さであって、変調されたデータ中に現れることがない、特異なビットパターンのものが使用される。このシンク付加回路１１の出力がドライバ１２を介して光ピックアップ１３に供給され、光磁気記録、または相変化によって光ディスク２に記録される。光ディスク２は、スピンドルモータ１４によって、ＣＬＶ（線速度一定）またはＣＡＶ（角速度一定）によって回転される。光ピックアップ１３によって記録／再生されるデータの最小単位が上述の１ブロックである。
【００３７】
　この発明の一実施例において、ＴＯＣデータとして記録される媒体ＩＤ信号ＤＭｉは、例えば下記のように規定される。
　媒体ＩＤ信号ＤＭｉ（ａ，ｂの２ビット）
　ａ＝０，ｂ＝０；ＲＯＭ−タイプ（例えば光ディスク２がＣＤ−ＲＯＭのマスターディスクの場合）
　ａ＝０，ｂ＝１；未使用
　ａ＝１，ｂ＝０；ＲＡＭ−タイプ（ＷＯ）
　ａ＝１，ｂ＝１；ＲＡＭ−タイプ（イレーザブル）（例えば光ディスク２がＤＶＤのイレーザブルタイプの場合）
【００３８】
　コピー管理情報ＣＧＭは、下記のように定義される。
　コピー管理情報ＣＧＭ（ｃ，ｄの２ビット）
　ｃ＝０，ｄ＝０；コピー自由
　ｃ＝０，ｄ＝１；未使用
　ｃ＝１，ｄ＝０；１世代のコピー可能
　ｃ＝１，ｄ＝１；コピー禁止
【００３９】
　上述のようにデータが記録された光ディスク２の再生回路について図２を参照して説明する。光ディスク２は、ＲＡＭ−タイプ、またはＲＯＭ−タイプであって、この媒体の識別は、ＴＯＣデータ中の媒体ＩＤ信号ＤＭｉによって可能である。なお、図２において、光ディスク２、光ピックアップ３、スピンドルモータ１３と、記録回路（図１）と同一の参照符号を使用しているが、このことは、記録および再生を同一の装置で行なうことを意味しない。特に、ＲＯＭ−タイプの場合では、図１の記録装置がマスタリングシステムであり、図２の再生装置がＲＯＭのドライブである。
【００４０】
　光ピックアップ１３で読出された再生データがＲＦアンプ２１を介してクロック抽出用のＰＬＬ回路２２に供給される。図示しないが、記録側および再生側には、光ピックアップ１３のフォーカスサーボ、トラッキングサーボ、送り動作（シーク）の制御、記録時のレーザパワーコントロール等を行うために、サーボコントロール回路が設けられている。ＰＬＬ回路２２の出力データがシンク分離回路２３に供給され、フレームシンク、セクタシンクおよびブロックシンクとそれぞれ対応するシンク検出信号がシンク分離回路２３から発生する。これらのシンク検出信号が図示しないが、タイミング生成回路に供給され、再生データと同期したセクタ周期、ブロック周期等の種々のタイミング信号が生成される。
【００４１】
　シンク分離回路２３に対して、ディジタル復調回路２４が接続される。ディジタル変調回路１０と逆の処理によって、コードワードがデータシンボルに戻されたデータが復調回路２４から発生する。ディジタル復調回路２４の出力データがＴＯＣ分離回路２５に供給される。ＴＯＣ分離回路２５は、ディスク装着時に読み取られたＴＯＣデータをＴＯＣデコーダ２６に送出する。ＴＯＣデコーダ２６によってＴＯＣデータが復号され、種々のディレクトリ情報、制御情報が得られる。媒体ＩＤ信号ＤＭｉおよびコピー管理情報ＣＧＭも再生ＴＯＣデータから得られる。
【００４２】
　ＴＯＣ分離回路２５を介された再生データがエラー訂正符号のデコーダ２７に供給される。このデコーダ２７によって、再生データのエラー訂正がなされる。デコーダ２７からのエラー訂正処理がなされたデータがブロック分解回路２８に供給される。ブロック分解回路２８では、再生データがブロック毎に区切られ、ブロックのエラー訂正符号の復号がなされる。記録側のブロック化回路６の処理と逆の処理をブロック分解回路２８が行い、セクタ構造のデータをブロック分解回路２８が出力する。ブロック分解回路２８に対してフォーマット分解回路２９ａ、２９ｂが接続される。フォーマット分解回路２９ａ、２９ｂの出力がスイッチ回路３０により選択される。
【００４３】
　フォーマット分解回路２９ａは、記録側のフォーマット化回路４ａの処理と逆の処理を行い、フォーマット分解回路２９ｂは、フォーマット化回路４ｂの処理と逆の処理を行う。フォーマット分解回路２９ａによって、図６Ａに示すＲＡＭ−タイプの光ディスクのセクタから２，０４８バイトのユーザデータが切り出されると共に、エラー検出がなされる。フォーマット分解回路２９ｂによって、図６Ｂに示すＲＯＭタイプの光ディスクのセクタから２，３３６バイトのユーザデータが切り出される共に、エラー検出がなされる。
【００４４】
　フォーマット分解回路２９ａおよび２９ｂで切り出されたユーザデータの一方がスイッチ回路３０により選択され、スイッチ回路３１に供給される。スイッチ回路３１で選択されたデータがインターフェース３２に供給され、インターフェース３２から出力端子３３に再生データが取り出される。スイッチ回路３０は、ブロック分解回路２８で検出されたヘッダ情報によって制御され、実際に再生されたデータのセクタ構造に対応する処理を行う回路２９ａの出力または回路２９ｂの出力を選択する。
【００４５】
　スイッチ回路３１は、ＴＯＣデコーダ２６からの再生禁止信号ＰＢＩＮＨによって制御される。スイッチ回路３１の一方の入力端子には、前段のスイッチ回路３０が選択した再生データが供給され、その他方の入力端子には、エラーメッセージ用データが供給される。再生禁止信号ＰＢＩＮＨは、媒体ＩＤ信号ＤＭｉとコピー管理情報ＣＧＭの両者に基づいて生成される。すなわち、上述した媒体ＩＤ信号ＤＭｉのビット「ａ」とコピー管理情報ＣＧＭのビット「ｃ」および「ｄ」のＡＮＤ出力（ａ・ｃ・ｄ）が再生禁止信号ＰＢＩＮＨとされる。すなわち、ＰＢＩＮＨ＝（ａ・ｃ・ｄ）＝"1"の場合に再生禁止動作がなされ、スイッチ回路３１がエラーメッセージ用データを選択する。ＰＢＩＮＨ＝"0"ならば、再生動作が禁止されない。
【００４６】
　再生禁止信号ＰＢＩＮＨが"1" の場合では、スイッチ回路３１がエラーメッセージ用データをインターフェース３２を介して出力するので、出力端子３３に接続されたコンピュータ側では、このエラーメッセージを解読してディスプレーにコピー禁止のディスクのために再生できない旨のメッセージを表示する。必要に応じて、再生禁止信号ＰＢＩＮＨによって光ピックアップ１３の位置を初期位置に戻すなどのスタンバイ状態としても良く、また、光ディスク２を再生するが、正常なデータを出力させないようにしても良い。このように実質的に再生出力を禁止する動作がなされる。
【００４７】
　再生禁止信号ＰＢＩＮＨが"1" となり、再生動作が禁止される組合せは、媒体ＩＤ信号ＤＭｉが（１０）（すなわち、ＷＯディスク）または（１１）（イレーザブルディスク）であって、コピー管理情報ＣＧＭが（１１）（すなわち、コピー禁止）の場合である。従って、光ディスク２に記録されたデータのコピー管理情報ＣＧＭがコピー禁止の場合では、必ず再生禁止信号ＰＢＩＮＨが"1" となり、再生が不可能となる。
【００４８】
　例えば再生する光ディスク２が媒体ＩＤ信号ＤＭｉが（００）（すなわち、ＲＯＭ−タイプのディスク）のＴＯＣを含めて全データをコピーしたものであっても、コピーされた情報が記録された光ディスクの媒体ＩＤ信号ＤＭｉが（１０）または（１１）であるために、上述したように、再生不可能となり、実質的にコピーを禁止することができる。また、光ディスク２がＲＯＭ−タイプの場合では、出力端子３３に他の光ディスク記録装置を接続すると、コピーが可能であるが、光ディスク２にコピー禁止の管理情報が記録されている場合には、たとえコピーできても、上述したように、この光ディスクが再生不可能であり、実質的にコピーを禁止することができる。
【００４９】
　図１０は、この発明のより簡略な実施例の記録側の構成を示す。インターフェース３に供給される記録データのフォーマットが一つのみである。例えばＣＤ−ＲＯＭの再生データを受け取り、ＣＤ−ＲＯＭと同じデータフォーマット、並びに同じデジタル変調を行ってＲＡＭ−タイプの光ディスク２（ＣＤ−ＷＯあるいはＣＤ−ＲＡＭ）に記録する。他の例は、ＤＶＤ−ＲＯＭの再生データをＤＶＤ−ＲＡＭに記録するものである。従って、上述した一実施例（図１）におけるフォーマット化回路４ａ、４ｂ、スイッチ回路５およびブロック化回路６が省略される。図１０中で、図１の構成と対応する部分には、同一符号を付してその説明は省略する。
【００５０】
　図１１は、図１０の記録側の構成と対応する再生側の構成を示す。上述の一実施例と同様に、ディスク２に媒体の種類を示す媒体ＩＤ信号ＤＭｉとコピー管理情報ＣＧＭＳとから再生禁止信号ＰＢＩＮＨが生成される。この再生禁止信号ＰＢＩＮＨによって、再生したディスク２のＤＭｉが（１０）または（１１）であり、ＣＧＭＳが（１１）ならば、実質的に再生出力が禁止される。上述した一実施例（図２）におけるブロック分解回路２８、フォーマット分解回路２９ａ、２９ｂおよびスイッチ回路３０が省略される。図１１中で、図２の構成と対応する部分には、同一符号を付してその説明は省略する。
【００５１】
　なお、コピー管理情報ＣＧＭのビット数を２ビットより多くして、より細かなコピー管理情報を設定しても良い。また、上述の一実施例では、ディレクトリ情報を含むＴＯＣデータとして媒体ＩＤ信号およびコピー管理情報を記録したが、媒体ＩＤ信号および／またはコピー管理情報をセクタ毎に記録しても良い。それによって、セクタ単位のコピーの管理が可能となる。さらに、１枚のディスクの記録領域の一部をＲＡＭ−タイプとし、他の部分をＲＯＭタイプとしたハイブリッドディスク（マルチセッションディスクとも称される）に対してこの発明を適用する場合では、少なくとも各領域に対応した媒体ＩＤ信号およびコピー管理情報を記録する必要がある。
【００５２】
　さらに、ＲＡＭ−タイプであって、コピー禁止のデータ記録媒体を作成したい場合には、ＲＯＭ−タイプ用のものが記録される領域と別の領域にＲＡＭ−タイプ用のコピー管理情報を記録する領域を設定し、ここにユーザが設定したコピー管理情報（コピー禁止）を記録することができる。これによって、ＲＡＭ−タイプおよびＲＯＭ−タイプのデータ記録媒体に対して統一的にこの発明を導入することができる。
【産業上の利用可能性】
【００５３】
　この発明は、上述の一実施例のように、ＲＯＭ−タイプおよびＲＡＭ−タイプの光ディスク間で、同一サイズのブロック構造が規定されたものに限定されるものではない。すなわち、ＲＯＭ−タイプおよびＲＡＭ−タイプのデータ構造（例えばセクタ構造）が同一でもよく、互いに独立して規定されていても良い。さらに、この発明は、ディスク状記録媒体に限らず、大容量の半導体メモリ、あるいは磁気テープをデータ記録媒体として使用する場合に対しても適用することができる。
【図面の簡単な説明】
【００５４】
【図１】この発明による記録回路の一実施例のブロック図である。
【図２】この発明による再生回路の一実施例のブロック図である。
【図３】従来のＣＤのデータ構造を説明するための略線図である。
【図４】従来のＣＤ−ＲＯＭのデータ構造を説明するための略線図である。
【図５】従来のＣＤ−Ｉのデータ構造を説明するための略線図である。
【図６】この発明の一実施例におけるセクタの二つのデータ構造の一例を示す略線図である。
【図７】この発明の一実施例におけるブロックのデータ構造を示す略線図である。
【図８】この発明の一実施例におけるセクタとブロックの関係を示す略線図である。
【図９】この発明の一実施例におけるセクタのデータ構造の他の例を示す略線図である。
【図１０】この発明による記録回路の他の実施例のブロック図である。
【図１１】この発明による再生回路の他の実施例のブロック図である。
【符号の説明】
【００５５】
１　記録データの入力端子
２，３　光ディスク
４ａ，４ｂ　フォーマット化回路
５　スイッチ回路
７　ＴＯＣデータ発生回路
８　エラー訂正符号のエンコーダ
２６　ＴＯＣ分離回路
３０　スイッチ回路
３１　スイッチ回路
【図１】
2004119009.tif 000003
【図２】
2004119009.tif 000004
【図３】
2004119009.tif 000005
【図４】
2004119009.tif 000006
【図５】
2004119009.tif 000007
【図６】
2004119009.tif 000008
【図７】
2004119009.tif 000009
【図８】
2004119009.tif 000010
【図９】
2004119009.tif 000011
【図１０】
2004119009.tif 000012
【図１１】
2004119009.tif 000013